(57)【要約】【課題】  色無地着物を作る場合に、顧客や販売者の主観や色感覚の個人差をできるだけ排除し、客観的な視点から真に似合う色の反物を適切に見つけ出すことができるようにする。【解決手段】  顧客の身体に当てがってその顧客に似合う色であるか否かを確かめるための異なる色無地を持つ多数枚のドレープ１２でなるドレープ群１と、一定基準に適合する異なる色無地を持つ多数枚の布片２１でなる色見本群を台紙２２に貼り付けてなる色見本帳２と、色見本帳２に備わっている布片２１の色無地と同一の色無地を持つ着物用反物３と、を有する。【選択図】        図１
0003130476.tif 000002
【実用新案登録請求の範囲】
【請求項１】
顧客の身体に当てがってその顧客に似合う色であるか否かを確かめるための異なる色無地を持つ多数枚のドレープでなるドレープ群と、
一定基準に適合する異なる色無地を持つ多数枚の布片でなる色見本群を複数枚ずつの布片にグループ分けして、同一グループに属する布片ごとに並べて共通の台紙に貼り付けてなる色見本帳と、
この色見本帳に備わっている上記布片の色無地と同一の色無地を持つ着物用反物と、
を有することを特徴とする色無地着物販売用組物。
【請求項２】
上記色見本帳が、春夏秋冬の四季を勘案して決定された季節ごとの基準に適合する異なる色無地を持つ多数枚の布片でなる色見本群ごとに数冊に分かれている請求項１に記載した色無地着物販売用組物。
【考案の詳細な説明】
【技術分野】
【０００１】
本考案は、色無地着物販売用組物、詳しくは、顧客に似合う色（以下「パーソナルカラー」という）を見つけ出した販売者が、そのパーソナルカラーを基にして顧客に似合う色無地の着物を販売することに役立つように工夫された色無地着物販売用組物に関する。
【背景技術】
【０００２】
従来、顧客が着物を購入したり販売者が顧客に着物を販売したりするときには、様々な色の反物を顧客の肩に垂れ掛けるなどの方法で身体に当てがい、それを鏡に写したり販売者が目で見ることによって、その反物の色が顧客に似合うか否かを決定することが多かった。
【考案の開示】
【考案が解決しようとする課題】
【０００３】
しかしながら、上記した方法で着物に使う反物の色を決定して着物を作ると、顧客や販売者が持つ色感覚などの個人差が影響して、真に適切な似合う色の反物を見つけることに困難が伴っていた。
【０００４】
そこで、本考案は、特に色無地着物を作る場合に、顧客や販売者の主観や色感覚の個人差をできるだけ排除し、客観的な視点から真に似合う色の反物を適切に見つけ出すことができて、似合う色無地着物を顧客に販売することのできる色無地着物販売用組物を提供することを目的とする。
【課題を解決するための手段】
【０００５】
本考案に係る色無地着物販売用組物は、顧客の身体に当てがってその顧客に似合う色であるか否かを確かめるための異なる色無地を持つ多数枚のドレープでなるドレープ群と、一定基準に適合する異なる色無地を持つ多数枚の布片でなる色見本群を複数枚ずつの布片にグループ分けして、同一グループに属する布片ごとに並べて共通の台紙に貼り付けてなる色見本帳と、この色見本帳に備わっている上記布片の色無地と同一の色無地を持つ着物用反物と、を有している。
【０００６】
この考案に係る色無地着物販売用組物によると、ドレープ群に属する多数枚のドレープを販売者が顧客の身体に当てがうことによってその顧客に似合う色のドレープを見い出すことができる。色合わせである。この色合わせの段階では、顧客や販売者のある程度の主観や色感覚の個人差がドレープの選択に影響を及ぼすけれども、この段階での個人差の影響は、次の段階で行われる色見本帳からの布片の選択によって解消される。
【０００７】
色見本帳では、一定基準に適合する異なる色無地を持つ多数枚の布片でなる色見本群が複数枚ずつの布片にグループ分けされていて、同一グループに属する布片ごとに共通の台紙に並べて貼り付けられている。このため、上記した色合わせの段階で選択したドレープの色を、グループ分けされた複数枚の布片の色から探し出すことは容易である。また、こうして探し出した色の布片が属しているグループからその布片の色又は他の布片の色と同じ色の反物を選択し、その反物で着物を作ることによって、顧客に似合う色の着物をその顧客に提供することが可能になる。ここで、色見本帳に貼り付けられている色見本群は、過去の経験などに基づいて顧客固体の顔色や髪色、肌の色などと照らし合わせて選択されたデータベースとしての色見本群である。したがって、上記の手順を踏まえて反物を選択すれば、顧客に似合う色の着物をその顧客に提供することが可能になる。
【０００８】
本考案では、上記色見本帳が、春夏秋冬の四季を勘案して決定された季節ごとの基準に適合する異なる色無地を持つ多数枚の布片でなる色見本群ごとに数冊に分かれているものであることが好ましい。このような色見本帳を用いると、季節ごとに似合う着物を容易に作ることができるようになる。
【考案の効果】
【０００９】
以上のように、本考案によれば、色無地着物を作る場合に、顧客や販売者の主観や色感覚の個人差をできるだけ排除し、客観的な視点から真に似合う色の反物を適切に見つけ出すことができて、似合う色無地着物を顧客に販売することが容易に可能になる。
【考案を実施するための最良の形態】
【００１０】
図１は本考案の実施形態に係る色無地着物販売用組物Ａの説明図、図２は色見本帳２の正面図、図３は上記組物Ａを用いる反物販売手順説明図である。
【００１１】
図１のように、この色無地着物販売用組物Ａは、ドレープ群１と、色見本帳２と、反物３とを有している。
【００１２】
ドレープ群１は、顧客の身体に当てがってその顧客に似合う色であるか否かを確かめるための異なる色無地を持つ多数枚のドレープ１２でなり、それぞれのドレープは、顧客の肩に垂れ下げたり、顧客の顔の下側に持っていきやすい形、たとえば所定サイズの矩形に形成されている。これらのドレープ１２は、色無地の布を裁断したりすることによって容易に作ることが可能である。また、これらのドレープ１２を綴っておくことも可能である。
【００１３】
見本帳２は、一定基準に適合する異なる色無地を持つ多数枚の布片２１でなる色見本群を複数枚ずつの布片２１にグループ分けして、同一グループに属する布片２１ごとに横に並べて共通の台紙２２に貼り付けてなる。符号ａ，ｂ，ｃ，ｄは複数枚ずつの布片２１を有するグループを示している。この実施形態では、色見本帳２が、春夏秋冬の四季を勘案して決定された季節ごとの基準に適合する異なる色無地を持つ多数枚の布片２１でなる色見本群ごとに４冊に分かれている。個々の色見本帳２に貼り付けられている色見本群は、過去の経験などに基づいて顧客固体の顔色や髪色、肌の色などと照らし合わせて選択されたデータベースとしての色見本群である。
【００１４】
反物３は、色見本帳２に備わっている布片２１の色無地と同一の色無地のものが用意されている。
【００１５】
この色無地着物販売用組物Ａを用いて反物３の販売を行う事例を次に説明する。
【００１６】
図３に示した色合わせの段階Ｓ１では、ドレープ群１に属する多数枚のドレープ１２を販売者が顧客の身体に順に当てがうことによってその顧客に似合う色のドレープ２１を見い出す。この色合わせの段階Ｓ１では、顧客や販売者のある程度の主観や色感覚の個人差がドレープ２１の選択に影響を及ぼすけれども、この段階Ｓ１での個人差の影響は、次の段階で行われる色見本帳からの布片選択の段階Ｓ２によって解消される。
【００１７】
布片選択の段階Ｓ２では、色合わせの段階Ｓ１で選択したドレープ１２の色を、グループ分けされた複数枚の布片２１の色から探し出すことを行う。この作業は容易である。こうして探し出した色の布片２１が属している１つのグループ、たとえばグループａからその布片２１の色又は他の布片２１の色と同じ色の反物３を選択してその反物３を着物生地として決定するという反物決定の段階Ｓ３を行う。そして、その反物３で色無地着物を作ることによって、顧客に似合う色無地の着物をその顧客に提供することが可能になる。
【００１８】
この実施形態では、色見本帳２が、春夏秋冬の四季を勘案して決定された季節ごとの基準に適合する４冊に分かれているので、色見本帳２を用いると、季節ごとに似合う着物を容易に作ることができるようになる。
【図面の簡単な説明】
【００１９】
【図１】本考案の実施形態に係る色無地着物販売用組物の説明図である。
【図２】色見本帳の正面図である。
【図３】本考案に係る組物を用いる反物販売手順説明図である。
【符号の説明】
【００２０】
１  ドレープ群
２  色見本帳
３  反物
１２  ドレープ
２１  布片
２２  台紙
ａ，ｂ，ｃ，ｄ  色見本群を形成している布片のグループ
【図１】
0003130476.tif 000003
【図２】
0003130476.tif 000004
【図３】
0003130476.tif 000005